(57)【特許請求の範囲】
【請求項１】
ゲーム装置本体を構成する基台と、該基台に盤面を略垂直に立設された遊戯盤と、該遊戯盤から水平に突設されると共に回転可能に軸支されたスパイラル状の景品ハンガーと、前記基台に設けた景品払出し口とを備え、前記景品ハンガーを回転させることによりハンガー先端部より前記景品ハンガーに吊持した景品を落下させ、前記景品払出し口より払出す景品払出しゲーム装置において、
遊戯者が目視可能なように前記遊戯盤に設けられ駆動されて自身が回転することにより前記景品ハンガーを連動回転させる回転部材からなるハンガー連動回転手段と、
遊戯者の遊戯操作により前記ハンガー連動回転手段を回転駆動できるように設けた遊戯手段であって、前記回転部材に衝突することにより回転部材を回転させ得る単独の固体からなる遊戯媒体と、前記遊戯媒体を前記遊戯盤に向けて投入する遊戯媒体投入装置とを有する遊戯手段とを備えたことを特徴とする景品払出しゲーム装置。
【請求項２】
前記遊戯媒体は球体であり、前記遊戯媒体投入装置は前記基台に設けられ弾球レバーで操作され前記球体を前記遊戯盤の盤面に沿って発射する構成であり、前記回転部材は周囲に前記球体と係合する突起を有する形状であることを特徴とする請求項１に記載の景品払出しゲーム装置。
【請求項３】
前記ハンガー連動回転手段は、前記遊戯媒体により１度駆動されることによって前記景品ハンガーが回転する回転量を所定回転量以下に規制する回転量規制手段を有することを特徴とする請求項１または２に記載の景品払出しゲーム装置。
【請求項４】
ゲーム装置本体を構成する基台と、該基台に盤面を略垂直に立設された遊戯盤と、該遊戯盤から水平に突設されると共に回転可能に軸支されたスパイラル状の景品ハンガーと、前記基台に設けた景品払出し口とを備え、前記景品ハンガーを回転させることによりハンガー先端部より前記景品ハンガーに吊持した景品を落下させ、前記景品払出し口より払出す景品払出しゲーム装置において、
遊戯者が目視可能なように前記遊戯盤に設けられ駆動されて自身が回転することにより前記景品ハンガーを連動回転させる回転部材からなるハンガー連動回転手段と、
遊戯者の遊戯操作により移動可能とされ、前記回転部材に接触することにより回転部材を回転させ得る操作媒体を有する遊戯手段とを備えたことを特徴とする景品払出しゲーム装置。
【請求項５】
前記ハンガー連動回転手段は、前記操作媒体により１度駆動されることによって前記景品ハンガーが回転する回転量を所定回転量以下に規制する回転量規制手段を有することを特徴とする請求項４に記載の景品払出しゲーム装置。
【請求項６】
前記回転部材は、前記景品ハンガーの軸に一体に固着された構成であることを特徴とする請求項１乃至５に記載の景品払出しゲーム装置。
【請求項７】
前記ハンガー連動回転手段は、景品を払い出す回転方向にハンガーを連動回転させる方向にのみ回転可能とする回転方向規制手段を有することを特徴とする請求項１乃至６に記載の景品払出しゲーム装置。
【請求項８】
前記回転量規制手段は、その回転量規制手段が規制する回転量を調整可能な構成を特徴とする請求項３、５、６または７に記載の景品払出しゲーム装置。
【発明の詳細な説明】
【０００１】
【発明の属する技術分野】
本発明は、主にゲームセンターや遊園地に設置され、景品を払い出す業務用のゲーム装置に関する。
【０００２】
【従来の技術】
景品を払い出すゲーム装置としては、実公平７−１３７５６号公報記載のものがある。これはゲーム空間の棚板上に景品を載置し、ゲーム空間の天井部に配置された把持つめ装置を遊戯者が操作することにより景品を掴み取る構成である。また、ハッピーツリー（株式会社サンワイズの商品名）として市販されているゲーム機があり、これはスパイラル状のハンガーに景品を吊持させ、別にゲーム機を設けてゲームの結果に従ってモータを駆動することにより前記ハンガーを所定回転数回転させ、景品を前記スパイラルの所定ピッチ分移動させ、ハンガー先端から落下させて払い出す構成である。ゲームの内容は、装置前面に設けられたマットを遊戯者が手で叩き、これによって矢印形状のマーカーが上昇して停止するようになっており、マーカーを所定の位置で停止させることができれば当たりとなり、景品が払い出されるというものである。なお、この景品ハンガーの構成は、実用新案登録第３０１６０９４号の明細書に記載されている。
【０００３】
【発明が解決しようとする課題】
前記従来の技術の前者は、遊戯者の操作により直接景品を獲得できるゲーム性を有する構成であるから、遊戯者の景品取得意欲を高め、興趣に富むゲーム機とすることができるが、景品を棚板上に平面的に載置された場合は、景品の収容数が少ないため頻繁な補充が必要になるという問題があり、景品を棚板上に積層した場合は、下層の景品は損傷し易くなる上、遊戯者から見えにくくなり、ディスプレイ効果も劣るという問題があった。
【０００４】
前記従来の技術の後者は、スパイラル状のハンガーを用いた構成により、景品を小空間に多数保管でき、ディスプレイ効果も高いという特徴を有するものの、ハンガーは専ら景品の収納、陳列、払出しに使用されるのみであり、ゲーム機のゲーム性は、遊戯者の操作により直接景品を獲得できるものではなく、遊戯者の景品獲得意欲を起こさせにくいものであった。さらに、ハンガーの回転にモータを用い駆動制御していたので、装置が複雑化し、高価なものとならざるを得なかった。
【０００５】
前述したようなことから、本発明は、スパイラル状のハンガーを用いた景品の収納および払出し手段を有し、かつ、ハンガーを遊戯者のゲーム操作により回転させ、収納された景品を直接獲得できるゲーム性を有するゲーム装置を提供することを目的とする。
【０００６】
【課題を解決するための手段】
本発明の一態様は、ゲーム装置本体を構成する基台と、該基台に盤面を略垂直に立設された遊戯盤と、該遊戯盤から水平に突設されると共に回転可能に軸支されたスパイラル状の景品ハンガーと、前記基台に設けた景品払出し口とを備え、前記景品ハンガーを回転させることによりハンガー先端部より前記景品ハンガーに吊持した景品を落下させ、前記景品払出し口より払出す景品払出しゲーム装置において、遊戯者が目視可能なように前記遊戯盤に設けられ駆動されて自身が回転することにより前記景品ハンガーを連動回転させるハンガー連動回転手段と、遊戯者の遊戯操作により前記ハンガー連動回転手段を回転駆動できるように設けた遊戯手段とを備えている。前記ハンガー連動回転手段は、回転部材からなり、前記遊戯手段は、前記回転部材に衝突することにより回転部材を回転させ得る単独の固体からなる遊戯媒体と、前記遊戯媒体を前記遊戯盤に向けて投入する遊戯媒体投入装置とを有する構成とする。
【０００７】
このような本発明の一態様では、遊戯者は、遊戯手段によりハンガー連動回転手段が回転するように遊戯を行う。スパイラル状の景品ハンガーは、予め景品を適当な間隔で吊持させておくものとし、ハンガー連動回転手段が遊戯操作によって回転駆動されると、これに連動回転する。景品ハンガーが所定の方向に回転させられることにより、吊持している景品を突出端側へ送り、終には景品を景品ハンガーから落下させて払い出す。ハンガー連動回転手段を遊戯媒体により回転部材を駆動して景品ハンガーを回転させるようにしたから、モータなどの動力源を用いない構成とすることができ、製品を安価に提供できると共に故障が発生しにくい。さらに、遊戯手段を遊戯媒体を遊戯媒体投入装置により遊戯盤に向けて投入する構成としたことにより、遊戯媒体として従来から人気の高いコイン、パチンコ球、ゴムボールなどを用いることができ、より興趣の高いゲーム機とすることができる。
【０００８】
前記遊戯媒体は球体であり、前記遊戯媒体投入装置は前記基台に設けられ弾球レバーで操作され前記球体を前記遊戯盤の盤面に沿って発射する構成であり、前記回転部材は周囲に前記球体と係合する突起を有する形状であるものとするのがよい。
弾球レバー操作により発射された球体は、遊戯盤内を移動するとき回転部材の突起に当たると、回転部材を回転させる。遊戯媒体を球体とし、遊戯媒体投入装置を弾球レバーで操作する構成とし、回転部材に球体と係合する突起を有する構成としたので、従来から人気の高いパチンコゲームに似たゲーム性を含むものとなる。
【０００９】
前記ハンガー連動回転手段は、前記遊戯媒体により１度駆動されることによって前記景品ハンガーが回転する回転量を所定回転量以下に規制する回転量規制手段を有するものとするのがよい。
ハンガー連動回転手段に回転量規制手段を設けたので、１回の遊戯により景品ハンガーが過度に回転することを防止する。
【００１０】
本発明の他の態様は、ゲーム装置本体を構成する基台と、該基台に盤面を略垂直に立設された遊戯盤と、該遊戯盤から水平に突設されると共に回転可能に軸支されたスパイラル状の景品ハンガーと、前記基台に設けた景品払出し口とを備え、前記景品ハンガーを回転させることによりハンガー先端部より前記景品ハンガーに吊持した景品を落下させ、前記景品払出し口より払出す景品払出しゲーム装置において、遊戯者が目視可能なように前記遊戯盤に設けられ駆動されて自身が回転することにより前記景品ハンガーを連動回転させる回転部材からなるハンガー連動回転手段と、  遊戯者の遊戯操作により移動可能とされ、前記回転部材に接触することにより回転部材を回転させ得る操作媒体を有する遊戯手段とを備えたことを特徴とする。
【００１１】
前記ハンガー連動回転手段は、前記操作媒体により１度駆動されることによって前記景品ハンガーが回転する回転量を所定回転量以下に規制する回転量規制手段を有するものとするのがよい。
ハンガー連動回転手段に回転量規制手段を設けたので、１回の遊戯により景品ハンガーが過度に回転することを防止する。
【００１２】
上記両態様において、前記回転部材は、前記景品ハンガーの軸に一体に固着された構成とするのがよい。
この構成はハンガー連動回転手段と景品ハンガーとを一体とすることができるから、単純な構成でハンガー連動回転手段の回転を確実に景品ハンガーに伝えることができ、より製品を安価に提供できると共に故障が発生しにくい。
【００１３】
上記両態様において、前記ハンガー連動回転手段は、景品を払い出す回転方向にハンガーを連動回転させる方向にのみ回転可能とする回転方向規制手段を有するのがよい。
ハンガー連動回転手段を、景品を払い出す回転方向にハンガーを連動回転させる方向にのみ回転可能としたので、遊戯の過程において景品が払いだされる回転とは反対方向の回転が起こらない。
上記両態様において、前記回転量規制手段は、その回転量規制手段が規制する回転量を調整可能な構成とするのがよい。
回転量規制手段が規制する回転量を調整できるので、景品の払出し率を適宜変更でき、一定の範囲内とすることができる。
【００１４】
【発明の実施の形態】
本発明の１実施の形態を図１〜図６を用いて説明する。この景品払出しゲーム装置は、基台１、遊戯盤２、景品ハンガー３、景品払出し口４、ハンガー連動回転手段５、遊戯手段６等を備えている。
【００１５】
基台１は、図１、図２に示すように、板金加工された筐体であり、内部には図示しない電源部、制御部や、コインセレクタ部１０、景品払出し通路１１、スピーカ１２等が設けられている。基台１は前面の大部分を扉部１３に形成され、正面の右側を蝶番により連結され、必要に応じて開閉できるようになっている。図１において、１４はコイン投入口、１５はコイン返却レバー、１６はコイン返却口でありこれらの部分の背面にコインセレクタ部１０が設けられている。１７はスピーカ開口部で、扉部１３の正面左側上部にパンチング加工したものであり、背面にスピーカ１２を取り付けてある。扉部１３の中央下部には景品払出し口４が開口し、その開口には上辺部を回動中心として奥行き方向に開閉可能に扉１８を設けてあり、また、その開口の背面側に一致するように景品受け１９を設けてあり、景品受け１９に景品払出し通路１１の下端が接続している。景品払出し通路１１の上部は大きな漏斗状をなし、下部がこれに続くシュート状をなしている。
【００１６】
遊戯盤２は、図１、図２に示すように、前面に盤面２０を形成する板状の遊戯盤本体２１と、盤面２０の前面に間隔を隔てて平行に配置されたアクリル製の透明板２２との間に、風車２３、釘２４、ボール停留防止部材２５、転動制御部材２６、投入ガイドレール２７、２８、ストッパ２９等を設けたものであり、この遊戯盤２が基台１上の後部に盤面２０を垂直にして立設されている。この遊戯盤２は、後述する遊戯手段６として弾球装置３０及び遊戯媒体３１を備え、遊戯媒体３１としてのボールを弾球レバー３２の操作により遊戯盤２内の上部へ投入できるようになっており、パチンコゲーム機に似た構成である。遊戯盤２の遊戯盤本体２１と透明板２２との間隙は遊戯媒体３１であるボールが通過できる寸法である。
【００１７】
風車２３は、６個設けてあり、それぞれが後述するようにハンガー連動回転手段５を構成するものであり、外周に６個の突出したボール係合部３３を有する回転部材であり、風車軸３４に固定され、その軸３４が盤面２０に直角に基端側を遊戯盤本体２１に回転自在に後述するボールベアリング４０で軸受支持され、前側先端部が透明板２２を貫通している。釘２４は、金属棒の先端にねじを設けたもので、遊戯盤本体２１の盤面２０に適当に分散した位置に、直角にねじ込んで固定してあり、ボールが移動してきて当たると移動方向が変わるようになっている。ボール停留防止部材２５は、風車２３の上側位置に固定されたへの字形状の樹脂板であり、鉤型状の金具３５で遊戯盤本体２１に取り付けられている。これは風車２３に後述する回転方向規制手段３６を設けてある場合に、風車を回転しない方向に付勢するようなボールの衝突によりボールがその位置に止まることを防止する、すなわちボールが風車の上側に当たったときに、その当たった状態で止まって停留することを防止するものである。転動制御部材２６は、釘２４と同じく、ボールの移動方向を変えるもので、樹脂板を金具で遊戯盤本体２１に固定してある。投入ガイドレール２７、２８は、細長い金属板を金具により遊戯盤本体２１に固定してあり、弾球装置３０により打ち出されたボールを遊戯盤２の正面右下方から上方へ、そして滑らかに屈曲して左方へ案内する。ストッパ２９は、ゴム片を金具によりねじ止めしたもので、弾球装置３０により強めに発射されたボールを弾き返して遊戯盤２の中央に戻す。
【００１８】
景品ハンガー３は、前記風車２３に夫々対応して設けられ、図２に示すように、遊戯盤２からその前側に水平に突出し、片持ち支持状態に設けられたスパイラル状の金属製の棒である。この景品ハンガー３はハンガー連動回転手段５を連結されることによって支持されている。ハンガー連動回転手段５は、前記風車２３であり、景品ハンガー３の後端を前記風車軸３４の先端に同軸的に延長するように固定してある。景品ハンガー３は風車２３の回転に連動して回転する。この景品ハンガー３に、景品、例えばキーホルダーを金属環を介してあるいはキーホルダーが有している金属環を直接スパイラルの１ピッチ置きに１個ずつ係合させて吊持状態にしておくと、風車２３が所定の方向に２回転するごとに１個の景品がハンガー３の先端から外れて落下する。景品ハンガー３の上側のものは下側のものよりも突出量を長くして、上側のものから景品が落下するときに下側のものに引っ掛からないようにしてある。この景品ハンガー３が突出している遊戯盤２の前側の空間は両側壁及び天井を設け、前側部分を透明アクリル板５７で覆って外界と区画してある。この遊戯盤の前側空間の下側には、前記景品払出し通路１１の上部が位置している。
【００１９】
ハンガー連動回転手段５としての風車２３には、図３〜図５に示すように、回転方向規制手段３６と、これに関連した回転量規制手段及び回転量調整手段を設けてある。これらはラチェット歯車３７と爪３８によって構成されている。すなわち、風車軸３４が遊戯盤本体２１を貫通して後方へ突出しており、その突出部分を囲むように遊戯盤本体２１の背面に箱体３９を固定してあり、その箱体に風車軸３４がボールベアリング４０を介して支持さている。そして箱体３９の内部にある風車軸３４の部分にラチェット歯車３７を固定してある。ラチェット歯車３７の外周の一部は箱体３９の上面壁に設けた長孔４１から突出していて、この部分にラチェット歯車３７の歯４２が幾つか位置しており、この歯４２に爪３８の先端が係合している。爪３８は箱体３９の上面に軸４３によって揺動可能に支持され、歯４２に係合する先端側が自重によって下降するようになっている。従って、爪３８と歯４２の係合は、図３に見られるように、ラチェット歯車３７の回転、つまり風車２３の回転を右回りの回転のみに規制しており、回転方向規制手段３６を構成している。
【００２０】
そして回転量規制手段は、前述した回転方向規制手段３６の回転に回転抵抗を与えた構成であり、特別に部品を付加しなくてもラチェット歯車３７と爪３８との構成でよい。すなわち、爪３８の先端側には爪３８の自重によるある大きさの重量が作用し、爪が歯４２の斜面を押圧しているから、ラチェット歯車３７が図３において右回りに回転する場合に、爪３８の先端側が歯４２によって持ち上げられて歯４２を乗り越えるが、このときに爪３８の先端側に作用する重量がラチェット歯車３７の回転抵抗となり、つまり風車の回転抵抗となる。従って、ボールによってある限られた回転力で駆動される風車２３は回転抵抗を受けて回転量を規制される。
【００２１】
また、回転量調整手段は、前記回転量規制手段の回転抵抗を調整できるようにした構成である。すなわち、図３〜図５に示すように、箱体３９の上面に調整板７０を設け、箱体３９の上面と爪３８の下面の間に挿入した状態に移動させてねじ止めすることができるようにしてあり、その挿入程度を加減して回転抵抗を調整する。調整板７０が挿入されていないとき、ラチェット歯車３７の歯４２が爪３８と接触して回転する回転角がもっとも大きく、回転抵抗が最大である。調整板７０の挿入程度が大きくなるほど爪３８は上方に持ち上げられた状態となり、持ち上げられることによってラチェット歯車３７の歯４２が爪３８に接触しないで回転する回転角が増大し、その分回転抵抗が小さくなり、風車２３の回転量を大きくすることができる。回転量調整手段は、これとは別に、爪３８の先端側に作用する重量を錘の着脱によって変更できるように、錘をねじによって爪３８に取り付けることができるねじ孔を設けた構成としてもよい。この構成では、爪３８の先端側に作用する重量を変更して回転抵抗を変更し、風車２３の回転量を調整できるのである。前記爪３８に関連して、風車２３がラチェット歯車３７と共に回転すると、爪３８が歯４２を乗り越えたときにその揺動を検知できるように前記箱体３９の側面にマイクロスイッチ４４を設けてある。このマイクロスイッチによる検知は、ボールが風車２３に当たって風車を回転させたことを検知しており、後述するヒット音を発生させるために使用できる。
【００２２】
遊戯手段６は、弾球装置３０と遊戯媒体３１であるボールとを有する。弾球装置３０は遊戯盤２の正面右下部分の基台１内に設けてあり、これは従来周知のもので詳細は図示説明を省略するが、弾球レバー３２の操作により遊戯媒体３１としてのボールを弾球片４５が押して発射させるようになっている。ボールの発射位置４６は、図６に示すように、遊戯盤２の正面右下であり、ゲームが行われていない待機中のボールは、ゲーム盤２内の下部でストッパ４７により止められていて、ゲーム開始時にそのストッパー４７が下降してボールが仮想線で示すように、発射位置４６に移動する。なお、図６において、４８はボール循環誘導路で、遊戯盤２内を下降したボールが次の発射のために発射位置４６へ案内される。４９は発射位置から上方へ延びる発射誘導路であり、投入ガイドレール２７、２８によって形成されている。
【００２３】
前記スピーカ１２は、ゲーム待機中のＢＧＭ、コイン投入時のクレジット音、ゲーム中のＢＧＭ、弾球レバー操作に伴うボール発射音、風車回転ヒット音、景品獲得音等を出すために使用される。また、図１に見られる、５０は上部蛍光灯、５１は蛍光灯を内蔵する側部蛍光灯カバー、５２はランプ、５３は残りボール発射回数をＬＥＤのセグメント数字で表示する表示器、５４は景品ハンガー３の位置する空間の前側を外界から区画している透明アクリル板、５５はキャスター、５６はアジャスターである。
【００２４】
このように構成されたゲーム装置は、使用において次のように動作する。先ずコインを投入口１４に投入すると、遊戯可能状態となる。その状態はストッパ４７が下降し、遊戯媒体３１であるボールが循環誘導路４８の傾斜を転動して発射位置４６に達して止まり、表示器５３に発射可能回数が、例えば５回の場合は「５」が表示される。次に遊戯者が遊戯手段６の弾球レバー３２を操作してボールを発射させる。ボールは発射位置４６の弾球片４５により打ち出され、発射誘導路４９を通って遊戯盤２の上部に至り、遊戯盤２内を盤面２０に沿って下降する。ボールの速度が大きい場合はストッパ２９に衝突して跳ね返るが、結局は盤面２０に沿って下降する。下降中に釘２４、ボール停留防止部材２５、転動制御部材２６等に衝突して方向を変えられながら下降し、途中でハンガー連動回転手段５の風車２３に衝突して回転させることができると、景品ハンガー３が連動回転してその景品ハンガーが吊持している景品を先端側へ回転量に応じて移動させる。ボールは下降して循環誘導路４８を通り発射位置４６に戻る。この誘導路４８を通るとき図示していないマイクロスイッチによって通過が検知され、表示器５３の表示が一つ減少する。
【００２５】
遊戯者はボールが発射位置４６に戻ると、その都度、所望の景品を吊持している景品ハンガーの風車にボールが当たるように、弾球レバー３２を操作してボールを発射させる。最後の５回目の発射の前に、循環誘導路４８をボールが通過したことがマイクロスイッチによって検出され、その約１秒後にストッパ４７が上昇して以後のボールの通過を止め、表示器５３の表示が「０」となる。ゲーム中に、発射したボールによって風車を回転させて景品ハンガー３を回転させることができると、景品ハンガーの回転量によって景品がハンガーから外れて落下し、景品払出し通路１１から景品受け１９に払出され、遊戯者は景品を受け取ることができる。
【００２６】
この実施の形態は、遊戯者が獲得したい景品を吊持している景品ハンガーの風車２３を狙い、弾球レバー３２を操作してボールを発射し、景品ハンガーを回転させて景品を直接獲得可能であるから、遊戯者の景品獲得意欲を高め、興趣に富むゲーム機となっている。また、景品は景品ハンガーに吊持され、積み重ねた状態ではないから、景品の損傷がなく、遊戯者から見え易く、ディスプレイ効果が大きい。
【００２７】
前記実施の形態の変形例として、景品ハンガーの軸とハンガー連動回転手段（風車２３）の軸を同一軸線状で連結しないで、つまり同一の軸としないで、双方の軸を別々に平行に遊戯盤本体に回転自在に軸受支持して双方の軸が連動回転するように連動用の平歯車あるいはベルトを介して連結した構成としてもよい。これによって、回転部材の真正面から外れた所望の位置に景品ハンガーを突出させることができ、景品及び回転部材を観察し易い配置を選択できる。
【００２８】
また、図７に示すように、ハンガー連動回転手段５は、回転部材２３ａが、遊戯盤の盤面２０に直交する垂直面内で回転するように、遊戯盤面に平行且つ水平に設けた軸３４ａに支持され、外周の一部が遊戯媒体の通る遊戯盤内（盤面２０と透明板２２の間）にあり、遊戯盤本体２１の背面側で回転部材の軸３４ａが景品ハンガー３の軸３ａに傘歯車６０、６１を介して連結している構成としてもよい。この場合、回転部材２３ａは常に一定の方向にのみ回転する。
【００２９】
また別に、図８に示すように、ハンガー連動回転手段５は、回転部材２３ｂが、外周位置に外周面にほぼ垂直な状態から回転方向後方にのみ傾倒するような傾倒爪６２を有する無端ベルト６３とされ、別々に設けた景品ハンガー３の軸３ｂとこれに平行なもう一つの軸３４ｂとに設けたプーリ６４、６４に掛け渡し、回転部材２３ｂのボールによる回転を景品ハンガー３に伝達するようにしても良い。この場合前記のような連動用の平歯車は省略できる。
【００３０】
前記実施の形態では、遊戯手段６として、遊戯媒体であるボールとその投入装置であるボールを発射する弾球装置を示したが、遊戯媒体はメダルを採用することもでき、その場合の遊戯手段６はメダルと遊戯盤２の上部よりメダルを落下させる投入部を有する構成とすることができる。
【００３１】
また、図９に示すように、別の遊戯手段６として、押釦操作で動作し前後に伸縮可能であると共に左右移動可能であるマジックハンド状のアーム６５と、アームの先端部に設けた接触子６６を操作媒体とするものを有し、接触子６６により回転部材２３ｃの外周位置を接線方向に駆動して回転部材に回転力を与える構成としてもよい。
【００３２】
また、図１０に示すように、更に別の遊戯手段６として、押釦操作で動作し上下に伸縮可能であると共に水平方向左右に移動可能であるクレーン状のアーム６７と、アームの先端部に設けた接触子６８を操作媒体とするものを有し、接触子６８により回転部材２３ｄの外周位置を接線方向に駆動して回転部材に回転力を与える構成としてもよい。
【００３３】
遊戯手段６は、要するに遊戯者の遊戯操作により前記ハンガー連動回転手段を回転駆動できるように設けた構成であればよい。
【００３４】
【発明の効果】
請求項１に記載の発明は、スパイラル状の景品ハンガーを用いた構成であるから、景品を小空間に多数保管でき、ディスプレイ効果が得られることに加えて、景品ハンガーを連動回転させるハンガー連動回転手段と遊戯者が遊戯操作する遊戯手段とを組み合わせた構成であるから、遊戯者の操作により直接景品を獲得できるというゲーム性を有するものとすることができ、遊戯者の景品獲得意欲を高め、興趣に富むゲーム装置とすることができる効果を奏する上に、遊戯手段を、遊戯媒体と遊戯媒体投入装置とを有する構成としたことにより、景品ハンガーを回転させるためにモータなどの動力源を用いない構成が可能であり、製品を安価に提供できると共に故障を少なくできる効果を奏する。さらに、遊戯媒体として従来から人気の高いコイン、パチンコ球、ゴムボールなどを用いることができ、より興趣の高いゲーム機とすることができる効果を奏する。
請求項２に記載の発明は、遊戯者が発射させる球体により、景品が吊持された景品ハンガーの回転部材を直接狙うというゲーム性となり、遊戯者にとって非常に興味深いゲーム機とすることができる効果を奏する。
請求項３及び請求項５に記載の発明は、１回の遊戯により景品ハンガーが過度に回転することを防止するから、景品の払出し率を一定の値以下とすることができる効果を奏する。
請求項４に記載の発明は、スパイラル状の景品ハンガーを用いた構成であるから、景品を小空間に多数保管でき、ディスプレイ効果が得られることに加えて、景品ハンガーを連動回転させるハンガー連動回転手段と遊戯者が遊戯操作する遊戯手段とを組み合わせた構成であるから、遊戯者の操作により直接景品を獲得できるというゲーム性を有するものとすることができ、遊戯者の景品獲得意欲を高め、興趣に富むゲーム装置とすることができる効果を奏する上に、景品ハンガーを回転させるためにモータなどの動力源を用いない構成が可能であり、製品を安価に提供できると共に故障を少なくできる効果を奏する。
請求項６に記載の発明は、ハンガー連動回転手段と景品ハンガーとを一体としたのでハンガー連動回転手段の回転を確実に景品ハンガーに伝えることができることに加え、より製品を安価に提供できると共に故障を低減できる効果を奏する。
請求項７に記載の発明は、遊戯の過程において景品が払いだされる回転とは反対方向の回転が起こらないから、遊戯者の遊戯に対する興味を喪失させることを防止する効果を奏する。
請求項８に記載の発明は、景品の払出し率を適宜変更でき、一定の範囲内とすることができる効果を奏する。
【図面の簡単な説明】
【図１】本発明の一実施の形態を示す正面図である。
【図２】図１の部分縦断側面図である。
【図３】同実施の形態の遊戯盤本体を省略した部分正面拡大図である。
【図４】図３の部分に対応する部分縦断側面図である。
【図５】図３の部分に対応する部分平面図である。
【図６】同実施の形態の遊戯盤下部の拡大正面図
【図７】本発明の実施の形態におけるハンガー連動回転手段の変形例を示す主要部概略平面図である。
【図８】本発明の実施の形態におけるハンガー連動回転手段の別の変形例を示す主要部概略正面図である。
【図９】本発明の実施の形態における別の遊戯手段を示す概略斜視図である。
【図１０】本発明の実施の形態における更に別の遊戯手段を示す概略斜視図である。
【符号の説明】
１      基台
２      遊戯盤
３      景品ハンガー
４      景品払い出し口
５      ハンガー連動回転手段
６      遊戯手段
１１    景品払出し通路
１４    コイン投入口
１９    景品受け
２０    盤面
２１    遊戯盤本体
２２    透明板
２３    風車
２４    釘
２７    投入ガイドレール
２８    投入ガイドレール
２９    ストッパ
３０    弾球装置
３１    遊戯媒体
３２    弾球レバー
３３    ボール係合部
３４    風車軸
３６    回転方向規制手段
３７    ラチェット歯車
３８    爪
４０    ボールベアリング
【図１】
0003745838.tif 000002
【図２】
0003745838.tif 000003
【図３】
0003745838.tif 000004
【図４】
0003745838.tif 000005
【図５】
0003745838.tif 000006
【図６】
0003745838.tif 000007
【図７】
0003745838.tif 000008
【図８】
0003745838.tif 000009
【図９】
0003745838.tif 000010
【図１０】
0003745838.tif 000011